(57)【要約】【課題】高効率の白色光を実現するバックライトユニットを提供する。【解決手段】本発明の一実施形態によるバックライトユニットは、導光板と、前記導光板の一側に配置される光源と、前記導光板に連結される第１連結部および前記導光板と前記光源との間に配置される中央部を含む波長変換フィルムとを有し、前記波長変換フィルムは、波長変換粒子が分散したガラス組成物を含むことを特徴とする。【選択図】図１
2019061951.tif 000002
【特許請求の範囲】
【請求項１】
導光板と、
前記導光板の一側に配置される光源と、
前記導光板に連結される第１連結部および前記導光板と前記光源との間に配置される中央部を含む波長変換フィルムとを有し、
前記波長変換フィルムは、波長変換粒子が分散したガラス組成物を含むことを特徴とするバックライトユニット。
【請求項２】
前記波長変換フィルムはフレキシブルガラスフィルムを含み、
前記波長変換粒子は前記フレキシブルガラスフィルム内に分散することを特徴とする請求項１に記載のバックライトユニット。
【請求項３】
前記フレキシブルガラスフィルムの厚さは０．１ｍｍ〜０．５ｍｍであることを特徴とする請求項２に記載のバックライトユニット。
【請求項４】
前記中央部と前記光源との間に配置される第１エアギャップをさらに有することを特徴とする請求項１に記載のバックライトユニット。
【請求項５】
前記第１エアギャップの幅は０．１ｍｍ〜０．２ｍｍであることを特徴とする請求項４に記載のバックライトユニット。
【請求項６】
前記中央部と前記導光板との間に配置される第２エアギャップをさらに有することを特徴とする請求項１に記載のバックライトユニット。
【請求項７】
前記波長変換フィルムは、前記第１連結部の中央部を挟んだ反対側に位置する第２連結部をさらに含むことを特徴とする請求項１に記載のバックライトユニット。
【請求項８】
前記第２連結部は前記光源に連結されることを特徴とする請求項７に記載のバックライトユニット。
【請求項９】
前記光源はプリント回路基板を含み、前記第２連結部は前記プリント回路基板と接合されることを特徴とする請求項８に記載のバックライトユニット。
【請求項１０】
前記第１連結部は前記導光板の下面に連結され、前記第２連結部は前記導光板の上面に連結されることを特徴とする請求項７に記載のバックライトユニット。
【請求項１１】
前記波長変換粒子は量子ドット物質を含むことを特徴とする請求項１に記載のバックライトユニット。
【請求項１２】
前記波長変換フィルムは、フレキシブルガラスフィルムと、前記フレキシブルガラスフィルム上に配置されるベースガラスとを含み、前記波長変換粒子は、前記ベースガラス内に分散することを特徴とする請求項１に記載のバックライトユニット。
【請求項１３】
前記波長変換フィルムと前記導光板との間に第１レーザー接合部が形成されることを特徴とする請求項１に記載のバックライトユニット。
【請求項１４】
バックライトユニット、および前記バックライトユニット上に配置される表示パネルを有し、
前記バックライトユニットは、
導光板と、前記導光板の一側に配置される光源と、前記導光板に連結される第１連結部および前記導光板と前記光源との間に配置される中央部を含む波長変換フィルムとを含み、前記波長変換フィルムは、波長変換粒子が分散したガラス組成物を含むことを特徴とする表示装置。
【請求項１５】
前記波長変換フィルムはフレキシブルガラスフィルムを含み、
前記波長変換粒子は前記フレキシブルガラスフィルム内に分散することを特徴とする請求項１４に記載の表示装置。
【請求項１６】
前記中央部と前記光源との間に配置される第１エアギャップをさらに含むことを特徴とする請求項１４に記載の表示装置。
【請求項１７】
前記波長変換粒子は量子ドット物質を含むことを特徴とする請求項１４に記載の表示装置。
【請求項１８】
前記波長変換フィルムはフレキシブルガラスフィルムと、前記フレキシブルガラスフィルム上に配置されるベースガラスとを含み、前記波長変換粒子は前記ベースガラス内に分散することを特徴とする請求項１４に記載の表示装置。
【請求項１９】
前記波長変換フィルムと前記導光板との間に第１レーザー接合部が形成されることを特徴とする請求項１４に記載の表示装置。
【請求項２０】
ガラスフリットと波長変換粒子とを混合してガラスフリット−波長変換粒子ミクスチャーを形成する段階と、
前記ガラスフリット−波長変換粒子ミクスチャーを型に注いで焼結させる段階と、
前記焼結されたガラスフリット−波長変換粒子ミクスチャーを切断して波長変換フィルムを形成する段階と、
前記波長変換フィルムの一部を導光板に連結し、残りの一部を光源と導光板との間に配置する段階とを有することを特徴とする表示装置の製造方法。
【発明の詳細な説明】
【技術分野】
【０００１】
本発明は、バックライトユニット、表示装置、および表示装置の製造方法に関し、特に高効率の白色光を実現するバックライトユニット、表示装置、および表示装置の製造方法に関する。
【背景技術】
【０００２】
液晶表示装置は、情報表示技術に占める比重が非常に大きい。液晶表示装置は、２枚のガラス基板の間に液晶を挿入して、それぞれのガラス基板に形成された電極を介して電圧を印加し、各液晶でこれを変換して光を発することにより、情報を表示する。
液晶表示装置は、自発的に発光せず、外部から入ってくる光の透過率を調節して画像を表示する受光性素子であるため、表示パネルに光を照射するための別途の装置、すなわちバックライトユニット（Ｂａｃｋｌｉｇｈｔ  Ｕｎｉｔ）が要求される。
【０００３】
最近では、発光ダイオード（Ｌｉｇｈｔ  Ｅｍｉｔｔｉｎｇ  Ｄｉｏｄｅ：ＬＥＤ）が液晶表示装置のバックライトユニットの光源として脚光を浴びているが、ＬＥＤは、電流が流れるときに光を発する半導体発光装置である。ＬＥＤは、長寿命、低消費電力、速い応答速度および優れた初期駆動特性などにより照明装置、電光板、ディスプレイ装置のバックライトユニットとして広く使用されており、その適用分野が益々拡大している。
【０００４】
一方、ＬＥＤ光源を用いる場合、色の純度を高めるために量子ドットが使用されているが、量子ドットは、伝導帯から価電子帯に励起状態の電子が遷移しながら発光するが、同じ物質の場合でも粒子サイズに応じて波長が変わる特性を示す。量子ドットのサイズが小さくなるほど短い波長の光を発光するので、サイズを調節して所望の波長領域の光を得ることができる。
【発明の概要】
【発明が解決しようとする課題】
【０００５】
本発明が解決しようとする課題は、高効率の白色光を実現するバックライトユニットを提供することである。
また、本発明が解決しようとする課題は、バックライトユニットが占める面積を減らすことができる表示装置を提供することである。
【課題を解決するための手段】
【０００６】
上記の課題を解決するためになされた本発明の一実施形態によるバックライトユニットは、導光板と、前記導光板の一側に配置される光源と、前記導光板に連結される第１連結部および前記導光板と前記光源との間に配置される中央部を含む波長変換フィルムとを有し、前記波長変換フィルムは、波長変換粒子が分散したガラス組成物を含むことを特徴とする。
【０００７】
前記波長変換フィルムはフレキシブルガラスフィルムを含み、前記波長変換粒子は前記フレキシブルガラスフィルム内に分散することができる。
前記フレキシブルガラスフィルムの厚さは０．１ｍｍ〜０．５ｍｍであり得る。
前記中央部と前記光源との間に配置される第１エアギャップをさらに有することができる。
前記第１エアギャップの幅は０．１ｍｍ〜０．２ｍｍであり得る。
【０００８】
前記中央部と前記導光板との間に配置される第２エアギャップをさらに有してもよい。
前記波長変換フィルムは、前記第１連結部の中央部を挟んだ反対側に位置する第２連結部をさらに含むことができる。
前記第２連結部は前記光源に連結できる。
前記光源はプリント回路基板を含み、前記第２連結部は前記プリント回路基板と接合できる。
【０００９】
前記第１連結部は前記導光板の下面に連結され、前記第２連結部は前記導光板の上面に連結され得る。
前記波長変換粒子は量子ドット物質を含むことができる。
前記波長変換フィルムは、フレキシブルガラスフィルムと、前記フレキシブルガラスフィルム上に配置されるベースガラスとを含み、前記波長変換粒子は、前記ベースガラス内に分散することができる。
前記波長変換フィルムと前記導光板との間に第１レーザー接合部が形成できる。
【００１０】
上記の課題を解決するための本発明の一実施形態に係る表示装置は、バックライトユニット、および前記バックライトユニット上に配置される表示パネルを有し、前記バックライトユニットは、導光板と、前記導光板の一側に配置される光源と、前記導光板に連結される第１連結部および前記導光板と前記光源との間に配置される中央部を含む波長変換フィルムとを含み、前記波長変換フィルムは、波長変換粒子が分散したガラス組成物を含むことを特徴とする。
【００１１】
前記波長変換フィルムはフレキシブルガラスフィルムを含み、前記波長変換粒子は前記フレキシブルガラスフィルム内に分散することができる。
前記中央部と前記光源との間に配置される第１エアギャップをさらに含むことができる。
前記波長変換粒子は量子ドット物質を含むことができる。
前記波長変換フィルムはフレキシブルガラスフィルムと、前記フレキシブルガラスフィルム上に配置されるベースガラスとを含み、前記波長変換粒子は前記ベースガラス内に分散することができる。
前記波長変換フィルムと前記導光板との間に第１レーザー接合部が形成できる。
【００１２】
本発明の一実施形態に係る表示装置の製造方法は、ガラスフリットと波長変換粒子とを混合してガラスフリット−波長変換粒子ミクスチャーを形成する段階と、前記ガラスフリット−波長変換粒子ミクスチャーを型に注いで焼結させる段階と、前記焼結されたガラスフリット−波長変換粒子ミクスチャーを切断して波長変換フィルムを形成する段階と、前記波長変換フィルムの一部を導光板に連結し、残りの一部を光源と導光板との間に配置する段階とを有することを特徴とする。
その他の実施例の具体的な事項は、詳細な説明および図面に含まれている。
【発明の効果】
【００１３】
本発明の実施形態によるバックライトユニットによれば、光源から提供される光が波長変換フィルムによって波長変換されるので、高効率の白色光を提供するバックライトユニットを提供することができる。
また、本発明の実施形態によるバックライトユニットによれば、波長変換フィルムを導光板の１側面と接触させて設けることができるので、バックライトユニットの占有面積を減少させることができる。
本発明に係る効果は、以上で例示した内容によって限定されず、さらに様々な効果が本明細書内に含まれている。
【図面の簡単な説明】
【００１４】
【図１】本発明の一実施形態によるバックライトユニットの斜視図である。
【図２】図１のＩ−Ｉ’線に沿って切断した断面図である。
【図３】図１のＩＩ−ＩＩ’線に沿って切断した断面図である。
【図４】図１のバックライトユニットの一部の構成を示す平面図である。
【図５】図１の実施形態によるバックライトユニットの部分平面図である。
【図６】図１の実施形態によるバックライトユニットの部分平面図である。
【図７】図６の一部の構成を切断して拡大した断面図である。
【図８】本発明の他の実施形態によるバックライトユニットの部分平面図である。
【図９】本発明の他の実施形態によるバックライトユニットの部分平面図である。
【図１０】本発明のさらに他の実施形態によるバックライトユニットの断面図である。
【図１１】本発明のさらに他の実施形態によるバックライトユニットの断面図である。
【図１２】さらに他の実施形態による表示装置の断面図である。
【図１３】図１２の実施形態の一部の構成を示す平面図である。
【図１４】本発明の一実施形態による表示装置の断面図である。
【図１５】本発明の他の実施形態による表示装置の断面図である。
【図１６】本発明の一実施形態による表示装置の製造方法を説明するための斜視図である。
【図１７】本発明の一実施形態による表示装置の製造方法を説明するための斜視図である。
【発明を実施するための形態】
【００１５】
本発明の利点、特徴、およびそれらを達成する方法は、添付図面と共に詳細に後述されている実施形態を参照すると明確になるだろう。しかし、本発明は、以下で開示する実施形態に限定されるものではなく、互いに異なる多様な形態で実現される。但し、本実施形態は、単に本発明の開示を完全たるものにし、本発明の属する技術分野における通常の知識を有する者に発明の範疇を完全に知らせるために提供されるものである。本発明は、請求項の範疇によってのみ定められる。
【００１６】
素子（ｅｌｅｍｅｎｔｓ）または層が他の素子または層の「上（ｏｎ）」にあると記載した場合は、他の素子または層の真上に存在する場合だけでなく、それらの間に別の層または別の素子が介在する場合を全て含む。反面、素子が「直接上（ｄｉｒｅｃｔｌｙ  ｏｎ）」または「真上」にあると記載した場合は、それらの間に別の素子または層が介在していないことを示す。  
【００１７】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上（ｏｎ）」、「上部（ｕｐｐｅｒ）」などは、図示されているように、一つの素子または構成要素と他の素子または構成要素との相関関係を容易に記述するために使用できる。空間的に相対的な用語は、図示されている方向に加えて、使用の際にまたは動作の際に素子の互いに異なる方向を含む用語として理解されるべきである。例えば、図示されている素子を覆す場合、他の素子の「下」と記述された素子は、他の素子の「上」に配置できる。また、図面を基準に、他の素子の「左側」に位置すると記述された素材は、視点によっては他の素子の「右側」に位置することもできる。したがって、例示的な用語である「下」は、下と上の方向をすべて含むことができる。素子は他の方向にも配向でき、この場合、空間的に相対的な用語は配向に応じて解釈できる。
【００１８】
たとえば、「第１」、「第２」などが多様な構成要素を叙述するために使用されるが、これらの構成要素はこれらの用語によって限定されないのはもちろんである。これらの用語は只一つの構成要素を他の構成要素から区別するために使用するものである。よって、以下で言及する第１構成要素は、本発明の技術的思想内で第２構成要素であることもあるのは勿論である。単数の表現は、文脈上明白に異なる意味ではない限り、複数の表現を含む。また、「含む」または「有する」などの用語は、明細書上に記載された特徴、数字、段階、動作、構成要素、部分品またはこれらの組み合わせが存在することを指定しようとするもので、一つまたはそれ以上の他の特徴や数字、段階、動作、構成要素、部分品またはこれらの組み合わせの存在または付加の可能性を予め排除しない。
明細書全体にわたって同一または類似の部分については、同一の図面符号を使用する。
【００１９】
以下、図面を参照して本発明の実施形態について説明する。
図１は本発明の一実施形態によるバックライトユニットの斜視図、図２は図１のＩ−Ｉ’線に沿って切断した断面図、図３は図１のＩＩ−ＩＩ’線に沿って切断した断面図、図４は図１のバックライトユニットの一部の構成を示す平面図、図５は図１の実施形態によるバックライトユニットの部分平面図、図６は図１の実施形態によるバックライトユニットの部分平面図、図７は図６の一部の構成を切断して拡大した断面図である。
【００２０】
図１〜図７を参照すると、本発明の一実施形態によるバックライトユニットは、導光板ＬＧ、導光板ＬＧの一側に配置される光源ＬＳ、導光板ＬＧに連結される第１連結部１１０、光源ＬＳに連結される第２連結部１２０、および第１連結部１１０と第２連結部１２０との間に配置される中央部１３０を含む波長変換フィルムＷＦを含み、波長変換フィルムＷＦは、波長変換粒子が分散したガラス組成物を含む。
【００２１】
一実施形態において、導光板ＬＧは、互いに対向する上面ＵＳおよび下面ＢＳ、並びにこれらの上面ＵＳと下面ＢＳとをつなぐ第１側面ＳＳ１および第２側面ＳＳ２を含む。
光源ＬＳから提供される光は、導光板ＬＧの上面ＵＳを経由して出射する。つまり、導光板ＬＧは、光源ＬＳから提供される光が上面ＵＳに向かってまたは上面を経由して出射するように誘導することができる。すなわち、上面ＵＳは出射面である。
【００２２】
図１は上面ＵＳが平坦な面を含む場合を例示するが、上面ＵＳの形状はこれに制限されるものではない。すなわち、一実施形態において、上面ＵＳには、光学的機能を行う機能パターンが形成できる。この機能パターンは複数の突出パターンや陥没パターンを含むことができる。
【００２３】
上面ＵＳと対向するように下面ＢＳが配置される。下面ＢＳは、上面ＵＳと実質的に同じ形状を有することができ、上面ＵＳと並んで配置できる。
下面ＢＳは、光源ＬＳから提供される光を反射または散乱させて光が上面ＵＳに向かって進むように誘導する役割を果たす。
図１は下面ＢＳが平坦な面を有する場合を例示するが、下面ＢＳの形状はこれに制限されるものではない。すなわち、他の実施形態において、下面ＢＳには複数の機能パターンが形成できる。機能パターンは、上述したように反射および／または散乱機能を行うためのパターンであり、その形状および個数は限定されない。
【００２４】
上面ＵＳと下面ＢＳとの間に第１側面ＳＳ１および第２側面ＳＳ２が配置される。
第１側面ＳＳ１および第２側面ＳＳ２は、互いに対向し、上面ＵＳと下面ＢＳとをつなぐ面である。
一実施形態において、第１側面ＳＳ１は、後述する光源ＬＳと対向する入射面である。すなわち、光源ＬＳから提供される光は第１側面ＳＳ１を通過する。
【００２５】
一実施形態において、導光板ＬＧは、ガラスからなるガラス導光板である。
導光板ＬＧの一側には、導光板ＬＧに光を提供する光源ＬＳが配置できる。前述したように、光源ＬＳは、第１側面ＳＳ１と対向し、第１側面ＳＳ１から離隔して配置できる。
一実施形態において、光源ＬＳは、プリント回路基板５５、発光ダイオード５６、および発光ダイオード５６を覆うカバー部５７を含む。
一実施形態において、プリント回路基板５５は発光ダイオード５６を支持する。言い換えれば、発光ダイオード５６はプリント回路基板５５上に実装される。
プリント回路基板５５は長さ方向に延長することができる。図１はプリント回路基板５５がｙ軸方向に延長する場合を示す。
一実施形態において、プリント回路基板５５上には、発光ダイオード５６を制御するための回路パターン（図示せず）が形成される。
【００２６】
プリント回路基板５５上には複数の発光ダイオード５６が実装できる。
一実施形態において、発光ダイオード５６は、青色光を発光するダイオードであるか、或いはＵＶ光を発光するダイオードである。ただし、これは例示的なものであり、発光ダイオード５６の種類はこれに制限されるものではない。
発光ダイオード５６はプリント回路基板５５に沿って複数個配置できる。これにより、発光ダイオード５６は、第１側面ＳＳ１に均一に光を提供することができる。
【００２７】
発光ダイオード５６上にカバー部５７が配置できる。カバー部５７は、発光ダイオード５６を覆って発光ダイオード５６を保護する役割を果たす。
一実施形態において、カバー部５７はエポキシまたはシリコンを含んで構成される。
光源ＬＳと導光板ＬＧとの間には波長変換フィルムＷＦが配置される。
【００２８】
図３を参照すると、波長変換フィルムＷＦは、フレキシブルガラスフィルム２１０と、フレキシブルガラスフィルム２１０内に分散した複数の波長変換粒子２２０とを含む。
波長変換フィルムＷＦはガラス−波長変換粒子ミクスチャー（ｍｉｘｔｕｒｅ）を含むことができる。一実施形態において、ガラス−波長変換粒子ミクスチャー（ｍｉｘｔｕｒｅ）は、フレキシブルガラスフィルム２１０、およびフレキシブルガラスフィルム２１０内に分散した複数の波長変換粒子２２０である。
【００２９】
フレキシブルガラスフィルム２１０は、ガラスからなり、薄い厚さにより可撓性を有する。
一実施形態において、フレキシブルガラスフィルム２１０の厚さｔ１は０．１ｍｍ〜０．５ｍｍである。
一実施形態において、フレキシブルガラスフィルム２１０内には複数の波長変換粒子２２０が分散される。波長変換粒子２２０はフレキシブルガラスフィルム２１０内で均一または不均一に配置できる。
【００３０】
一実施形態において、波長変換粒子２２０は量子ドット物質および／または蛍光体物質を含む。
一実施形態において、量子ドット物質は、Ｓｉ系ナノ結晶、ＩＩ−ＶＩ族系化合物半導体ナノ結晶、ＩＩＩ−Ｖ族系化合物半導体ナノ結晶、ＩＶ−ＶＩ族系化合物半導体ナノ結晶、およびこれらの混合物のうちのいずれか一つのナノ結晶を含む。
【００３１】
一実施形態において、ＩＩ−ＶＩ族系化合物半導体ナノ結晶は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、およびＨｇＺｎＳＴｅよりなる群から選ばれたいずれかである。
【００３２】
一実施形態において、ＩＩＩ−Ｖ族系化合物半導体ナノ結晶は、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓ、およびＩｎＡｌＰＡｓよりなる群から選ばれたいずれかである。
【００３３】
一実施形態において、ＩＶ−ＶＩ族系化合物半導体ナノ結晶はＳｂＴｅである。ただし、これは例示的なものであり、量子ドット物質の種類はこれに制限されるものではない。
一実施形態において、蛍光体物質は、硫化物（Ｓｕｌｆｉｄｅ）、ケイ素（Ｓｉ）および窒化物（Ｎｉｔｒｉｄｅ）系の金属元素のうちの少なくとも１種を含む。ただし、これは例示的なものであり、蛍光体物質の種類はこれに制限されるものではない。
【００３４】
図４を参照すると、波長変換フィルムＷＦは、第１連結部１１０、第２連結部１２０、および第１連結部１１０と第２連結部１２０との間に配置される中央部１３０を含む。
第１連結部１１０は導光板ＬＧに連結される。
一実施形態において、第１連結部１１０は導光板ＬＧの下面ＢＳに連結される。
具体的に、第１連結部１１０は、導光板ＬＧの下面ＢＳと少なくとも部分的に接触し、互いに接合される。
一実施形態において、第１連結部１１０は導光板ＬＧの下面ＢＳとレーザー接合される。この場合、第１連結部１１０と導光板ＬＧの下面ＢＳとの間に第１レーザー接合部ＬＢ１が形成される。
【００３５】
図５を参照すると、第１レーザー接合部ＬＢ１は複数の第１接合点ＢＤ１を含む。複数の第１接合点ＢＤ１はｙ軸方向に沿って整列されて配置される。
すなわち、第１接合点ＢＤ１は、波長変換フィルムＷＦと導光板ＬＧの下面ＢＳとが接触する領域に沿って複数個配置できる。
本明細書において、レーザー接合部は、波長がフェムト秒（ｆｅｍｔｏ  ｓｅｃｏｎｄ）単位であるフェムト秒レーザーによって形成できる。ただし、これは例示的なものであり、第１連結部１１０と下面ＢＳとの接合方式はこれに制限されるものではない。
再び図４を参照すると、第１連結部１１０の中央部１３０を挟んだ反対側に第２連結部１２０が配置される。
【００３６】
図６を参照すると、第２連結部１２０は光源ＬＳに連結される。一実施形態において、第２連結部１２０は光源ＬＳのプリント回路基板５５に連結される。具体的に、第２連結部１２０とプリント回路基板５５とは接合できる。
一実施形態において、第２連結部１２０とプリント回路基板５５とは互いにレーザー接合され、これにより、第２連結部１２０とプリント回路基板５５との間に第２レーザー接合部ＬＢ２が形成される。
ただし、これは例示的なものであり、第２連結部１２０とプリント回路基板５５との接合方式はこれに制限されるものではない。他の実施形態において、第２連結部１２０とプリント回路基板５５とは接着剤によって接合されてもよい。
【００３７】
図６は第２連結部１２０とプリント回路基板５５との間に第２レーザー接合部ＬＢ２が配置される様子を示す。
第２レーザー接合部ＬＢ２は複数の第２接合点ＢＤ２を含むことができる。
第２接合点ＢＤ２は、一方向（図６におけるｙ軸方向）に沿って整列されて配置される。すなわち、第２接合点ＢＤ２は、第２連結部１２０とプリント回路基板５５とが接触する領域に沿って複数個配置される。
【００３８】
図７は第１接合点ＢＤ１とその付近を拡大して切断した部分拡大図である。
図７を参照すると、第１接合点ＢＤ１は、中心領域Ａ１と、中心領域Ａ１の外側に配置される周辺領域Ａ２とを含む。
一実施形態において、第１接合点ＢＤ１は、波長変換フィルムＷＦと下面ＢＳとの接触面ＣＳを横切って形成される。一実施形態において、中心領域Ａ１の断面は、長軸が短軸よりも長い楕円形状を有する。
【００３９】
以下では、中心領域Ａ１の断面が楕円形状を有する場合を例示して説明するが、中心領域の断面の形状はこれに制限されるものではない。他の実施形態において、中心領域Ａ１の断面は円形の形状を有してもよく、この場合、長軸についての説明は、円形の直径についての説明で代替できることを予め明らかにしておく。
【００４０】
図７は中心領域Ａ１の長軸が接触面と直交するように配置される場合を例示するが、長軸の方向はこれに制限されない。すなわち、長軸の方向はレーザー照射方向によって異なる。
中心領域Ａ１では、波長変換フィルムＷＦと下面ＢＳとの境界がなくなることがある。すなわち、波長変換フィルムＷＦと下面ＢＳとの接触面ＣＳが明確に識別されないことがある。
一実施形態において、中心領域Ａ１の長軸の幅ｄ１は１０μｍ〜２０μｍである。
【００４１】
中心領域Ａ１の外側には、中心領域Ａ１を取り囲むように周辺領域Ａ２が配置される。一実施形態において、中心領域Ａ１の断面の形状は円形である。
周辺領域Ａ２に含まれる波長変換フィルムＷＦと下面ＢＳとは、少なくとも部分的に溶融された状態である。ただし、この場合にも、波長変換フィルムＷＦと下面ＢＳとの境界が維持され、接触面ＣＳも明確に識別され得る。一実施形態において、周辺領域Ａ２の幅ｄ２は７０μｍ〜１００μｍである。
【００４２】
第１接合点ＢＤ１の大きさが大きければ、波長変換粒子２２０に熱損傷が加えられるおそれがある。上述したように、第１接合点ＢＤ１の最大幅が７０μｍ〜１００μｍである場合、波長変換粒子２２０に加わる熱損傷を防ぐか或いは最小限に抑えることができる。
第１接合点ＢＤ１の大きさを最小化するために、波長がフェムト秒であるレーザーを用いることができる。フェムト秒レーザーを用いると、波長変換フィルムＷＦと下面ＢＳとが互いに接合され、第１接合点ＢＤ１の最大幅が１００μｍ以下に維持できる。また、これにより、波長変換粒子２２０が熱により損傷を受けることを最小限に抑えることができる。
【００４３】
再び図４を参照すると、第１連結部１１０と第２連結部１２０との間には中央部１３０が配置される。
図２を参照すると、中央部１３０は光源ＬＳと導光板ＬＧとの間に配置される。すなわち、光源ＬＳから生成される光は、中央部１３０を通過して導光板ＬＧに提供される。すなわち、中央部１３０は光路上に配置される。
【００４４】
一実施形態において、光源ＬＳから提供される青色光は、中央部１３０を通過して白色光に転換される。つまり、光源ＬＳから提供される光は、波長変換フィルムＷＦによって波長変換されて白色光になる。
一実施形態において、中央部１３０は、光源ＬＳおよび導光板ＬＧから離隔することができる。すなわち、中央部１３０と光源ＬＳとの間、および中央部１３０と導光板ＬＧとの間に空き空間が配置できる。説明の便宜のために、中央部１３０と光源ＬＳとの間に配置される空き空間を第１エアギャップＡＧ１とし、中央部１３０と導光板ＬＧとの間に配置される空き空間を第２エアギャップＡＧ２とする。
一実施形態において、第１エアギャップＡＧ１の幅ａ１は０．１ｍｍ〜０．２ｍｍである。
【００４５】
光源ＬＳは、光を導光板ＬＧに提供しながら、付随的に熱を発生させることがある。光源ＬＳから発生した熱は、波長変換フィルムＷＦ、特に波長変換粒子２２０を損傷させるおそれがある。上述したように、第１エアギャップＡＧ１が適用される場合、光源ＬＳから発生した熱が波長変換フィルムＷＦに直接伝達されることを防止することができる。
【００４６】
一実施形態において、第２エアギャップＡＧ２は波長変換フィルムＷＦと第１側面ＳＳ１との間に配置される。
一実施形態において、第２エアギャップＡＧ２の幅ａ２は０．１ｍｍ〜０．２ｍｍである。
第２エアギャップＡＧ２は、一定の屈折率を有する媒質として機能することができる。すなわち、波長変換フィルムＷＦを通過した光が第２エアギャップＡＧ２を通過しながら屈折拡散され、これにより、導光板ＬＧの第１側面ＳＳ１に光を均一に分散させることができる。
【００４７】
波長変換フィルムＷＦは少なくとも部分的に曲げることができる。すなわち、波長変換フィルムＷＦの第１連結部１１０が導光板ＬＧの下面ＢＳに連結され、第２連結部１２０が光源ＬＳに連結された状態で、波長変換フィルムＷＦは少なくとも部分的に曲がることができ、これにより、波長変換フィルムＷＦのうちの少なくとも一部（特に中央部１３０の少なくとも一部）が光路上に配置される。
波長変換フィルムＷＦは可撓性を有するが、基本的に脆性材料で作られることにより、一定の角度以上折り曲げられると破損するおそれがある。可撓性を有することにより、波長変換フィルムＷＦは、一定の曲率を有し、緩やかに折り曲げられ得る。
【００４８】
以下、本発明の他の実施形態による表示装置について説明する。以下で説明する構成の一部は、先に本発明の一実施形態による表示装置で説明した構成と実質的に同一であり、重複説明を避けるために一部の構成についての説明は省略する。
図８は本発明の他の実施形態によるバックライトユニットの部分平面図である。
図８を参照すると、第１レーザー接合部ＬＢ１は第１接合線ＢＬ１を含む。断続的な第１接合点ＢＤ１（図５参照）とは異なり、第１レーザー接合部ＬＢ１は一方向に延長される連続的な第１接合線ＢＬ１を含むことができる。
【００４９】
図８は波長変換フィルムＷＦの第１連結部１１０と下面ＢＳとの間に１つの第１接合線ＢＬ１が形成された場合を例示するが、これに制限されない。すなわち、他の実施形態において、第１接合線ＢＬ１は二つ以上であってもよい。この場合、複数の第１接合線ＢＬ１は互いに並んで配置できる。
断続的な第１接合点ＢＤ１を連続的な第１接合線ＢＬ１に置換する場合には、接合強度を向上させることができる。
【００５０】
図９は本発明の他の実施形態によるバックライトユニットの部分平面図である。
図９を参照すると、第２レーザー接合部ＬＢ２は第２接合線ＢＬ２を含む。断続的な第２接合点ＢＤ２とは異なり（図６参照）、第２レーザー接合部ＬＢ２は、一方向に延長される連続的な第２接合線ＢＬ２を含むことができる。
図９は波長変換フィルムＷＦの第２連結部１２０とプリント回路基板５５との間に一つの第２接合線ＢＬ２が形成された場合を例示するが、これに制限されない。すなわち、他の実施形態において、第２接合線ＢＬ２は二つ以上であってもよい。この場合、複数の第２接合線ＢＬ２は互いに並んで配置できる。
【００５１】
図１０は本発明のさらに他の実施形態によるバックライトユニットの断面図である。
図１０を参照すると、波長変換フィルムＷＦが導光板ＬＧと接触することが図２の実施形態とは異なる点である。
一実施形態において、波長変換フィルムＷＦの中央部１３０は導光板ＬＧの第１側面ＳＳ１と少なくとも部分的に接触する。
すなわち、図２で説明したのとは異なり、この場合、第２エアギャップＡＧ２は形成されなくてもよい。
【００５２】
ただし、この場合にも、光源ＬＳと波長変換フィルムＷＦとの間には第１エアギャップＡＧ１を形成できる。第１エアギャップＡＧ１の構造と形状は、先に図２で説明したのと実質的に同一であり得る。
波長変換フィルムＷＦと第１側面ＳＳ１とが接触する場合、光源ＬＳと導光板ＬＧとの距離を短縮させることができる。これにより、バックライトユニットが占める全体幅を減少させることができる。
【００５３】
図１１は本発明のさらに他の実施形態によるバックライトユニットの断面図である。
図１１を参照すると、一実施形態において、波長変換フィルムＷＦの第１連結部１１０および第２連結部１２０はそれぞれ導光板ＬＧに連結される。
一実施形態において、第１連結部１１０は導光板ＬＧの下面ＢＳに連結され、第２連結部１２０は導光板ＬＧの上面ＵＳに連結される。言い換えれば、第１連結部１１０は導光板ＬＧの下面ＢＳに接合され、第２連結部１２０は導光板ＬＧの上面ＵＳに接合される。
【００５４】
一実施形態において、第２連結部１２０と導光板ＬＧの上面ＵＳとの間には第３レーザー接合部ＬＢ３が形成される。第３レーザー接合部ＬＢ３の形状は、前述した第２レーザー接合部ＬＢ２と実質的に同一である。
この場合にも、中央部１３０は、光源ＬＳと導光板ＬＧとの間、すなわち光路上に配置される。
【００５５】
図１２はさらに他の実施形態による表示装置の断面図である。図１３は図１２の実施形態の一部の構成を示す平面図である。
図１２および図１３を参照すると、さらに他の実施形態において、波長変換フィルムＷＦ１は、フレキシブルガラスフィルム２１１、ベースガラス２３０および波長変換粒子２２０を含む。
フレキシブルガラスフィルム２１１は、ガラスからなり、薄い厚さにより可撓性を有することができる。
一実施形態において、フレキシブルガラスフィルム２１１の厚さは０．１ｍｍ〜０．５ｍｍである。
【００５６】
図４と同様に、フレキシブルガラスフィルム２１１上には、第１連結部１１１、第２連結部１２１、および第１連結部１１１と第２連結部１２１との間に配置される中央部１３１が定義される。
フレキシブルガラスフィルム２１１の一面上にはベースガラス２３０が配置される。ベースガラス２３０は、ガラスからなり、波長変換フィルムＷＦ１の中央部１３１に位置することができる。
つまり、ベースガラス２３０は、図１２に示すように、光源ＬＳと第１側面ＳＳ１との間に配置できる。言い換えれば、ベースガラス２３０は光路上に配置される。すなわち、光源ＬＳから提供された光は、ベースガラス２３０を通過して第１側面ＳＳ１に到達する。
ベースガラス２３０の内部には複数の波長変換粒子２２０が配置できる。波長変換粒子２２０は、先に図３で説明したのと実質的に同一である。
【００５７】
一実施形態において、ベースガラス２３０とフレキシブルガラスフィルム２１１とはレーザー接合される。
すなわち、ベースガラス２３０とフレキシブルガラスフィルム２１１との間に第４レーザー接合部ＬＢ４が形成される。
一実施形態において、第４レーザー接合部ＬＢ４は、ベースガラス２３０の外周境界の内側で外周境界に沿って配置される（図１３参照）。
一実施形態において、第４レーザー接合部ＬＢ４は、少なくとも一つの接合点および／または接合線を含む。
【００５８】
一実施形態において、第１連結部１１１は導光板ＬＧに連結される。具体的に、導光板ＬＧの下面ＢＳに接合される。これにより、第１連結部１１１と導光板ＬＧの下面ＢＳとの間に第１レーザー接合部ＬＢ１が形成されるのは、先に説明したのと同様である。
第２連結部１２１は光源ＬＳに連結される。具体的に、光源ＬＳのプリント回路基板５５に連結される。
これにより、プリント回路基板５５と第２連結部１２１との間に第２レーザー接合部ＬＢ２が形成されるのは、先に図２などで説明したのと同様である。
【００５９】
図１４は本発明の一実施形態による表示装置の断面図である。
図１４を参照すると、本発明の一実施形態による表示装置は、バックライトユニット、およびバックライトユニット上に配置される表示パネルＰＡ１を含む。
バックライトユニットは、先に本発明の幾つかの実施形態によるバックライトユニットで説明したのと実質的に同一である。
【００６０】
バックライトユニット上には表示パネルＰＡ１が配置できる。表示パネルＰＡ１は画像を表示することができる。
一実施形態において、表示パネルＰＡ１はガラス基板を含む。表示パネルＰＡ１がガラス基板を含む実施形態において、表示パネルＰＡ１と導光板ＬＧとは互いに接合される。すなわち、表示パネルＰＡ１と導光板ＬＧの上面との間に第５レーザー接合部ＬＢ５が形成される。
第５レーザー接合部ＬＢ５は複数の接合点および／または複数の接合線を含むことができる。図１４の第５レーザー接合部ＬＢ５の位置は、例示的なものであり、これに制限されるものではない。
【００６１】
本発明の一実施形態による表示装置は反射層ＲＬをさらに含む。
反射層ＲＬは導光板ＬＧの下部に配置できる。反射層ＲＬは、導光板ＬＧの下面ＢＳを通過した光を再び上面ＵＳに向かって反射させる役割を果たす。反射層ＲＬは鏡面反射および／または拡散反射を行うことができる。
一実施形態において、反射層ＲＬはシート形状からなってもよい。また、反射層ＲＬ上には複数の機能パターンが形成できる。
【００６２】
図１５は本発明の他の実施形態による表示装置の断面図である。図１５を参照すると、表示パネルＰＡ２は、第１基板１０００、第１基板１０００に対向する第２基板５００、第１基板１０００と第２基板との間に配置される液晶層（図示せず）を含む。
一実施形態において、第１基板１０００は、複数のトランジスタが形成されたアレイ基板であり、第２基板５００は、カラーフィルターが形成されたカラーフィルター基板である。
【００６３】
他の実施形態において、カラーフィルターは第１基板１０００上に形成できる。すなわち、表示パネルＰＡ２は、カラーフィルターオンアレイ（ＣＯＡ、Ｃｏｌｏｒｆｉｌｔｅｒ  ｏｎ  Ａｒｒａｙ）構造を持つ表示パネルであり得る。
一実施形態において、第１基板１０００および／または第２基板５００はガラスからなる。
【００６４】
一実施形態において、第１基板１０００の少なくとも一部は第２基板５００と重畳する。この場合、第１基板１０００上で第２基板５００と重畳しない領域に駆動部（図示せず）およびプリント回路基板（図示せず）などが配置できる。
一実施形態において、第１基板１０００は、第２基板５００に比べて広い面積を有する。ただし、これに制限されるものではなく、他の実施形態において、第２基板５００が第１基板１０００に比べて広い面積を有してもよい。
【００６５】
本発明の一実施形態による表示装置は、第１偏光板Ｐ１、第２偏光板Ｐ２および光学シート３００をさらに含む。
第１偏光板Ｐ１および第２偏光板Ｐ２は表示パネルの外側に配置できる。
第１偏光板Ｐ１および第２偏光板Ｐ２は、提供される光のうち、特定の方向に振動する光だけを透過し、残りの光を遮断または反射することができる。
【００６６】
一実施形態において、第１偏光板Ｐ１と第２偏光板Ｐ２の偏光方向は互いに異なる。
一実施形態において、第１偏光板Ｐ１と第２偏光板Ｐ２は、図１５に示されているのとは異なり、表示パネルＰＡ２の内側に配置されてもよい。この場合、第１偏光板Ｐ１および第２偏光板Ｐ２はインセル（Ｉｎｃｅｌｌ）偏光板であり得る。
また、一実施形態において、第１偏光板Ｐ１および／または第２偏光板Ｐ２は、ワイヤグリッド偏光子（ＷＧＰ、Ｗｉｒｅ−Ｇｒｉｄ−Ｐｏｌａｒｉｚｅｒ）を含むことができる。
【００６７】
以下では、本発明の幾つかの実施形態による表示装置の製造方法について説明する。以下で説明する構成の一部は、前述の本発明の幾つかの実施形態による液晶表示装置の構成と同一であり、重複説明を避けるために、一部の構成についての説明は省略する。
図１６および図１７は本発明の一実施形態による表示装置の製造方法を説明するための斜視図である。
【００６８】
本発明の一実施形態による表示装置の製造方法は、ガラスフリット（ｆｒｉｔ）と波長変換粒子とを混合してガラスフリット（ｆｒｉｔ）−波長変換粒子ミクスチャー（ｍｉｘｔｕｒｅ）４１０を形成する段階と、ガラスフリット−波長変換粒子ミクスチャー４１０を型６００に注いで焼結させる段階と、焼結されたガラスフリット−波長変換粒子ミクスチャー４１０を切断して波長変換フィルムＷＦを形成する段階と、波長変換フィルムＷＦの一部を導光板ＬＧに連結し、残りの一部を光源ＬＳと導光板ＬＧとの間に配置する段階とを含む。
【００６９】
まず、ガラスフリット（ｆｒｉｔ）−波長変換粒子ミクスチャー（ｍｉｘｔｕｒｅ）４１０を形成する段階が行われる。ガラスフリット（ｆｒｉｔ）−波長変換粒子ミクスチャー（ｍｉｘｔｕｒｅ）４１０を形成する段階は、一つの反応槽（ｂａｔｃｈ  ｒｅａｃｔｏｒ）にガラスフリット（ｆｒｉｔ）と波長変換粒子を入れて混ぜる方式で行われる。
波長変換粒子は、先に図２で説明したように、量子ドット物質または蛍光体物質である。
このとき、ガラスフリット−波長変換粒子ミクスチャー４１０は液体状態であり得る。
【００７０】
次いで、図１６を参照すると、ガラスフリット−波長変換粒子ミクスチャー４１０を型６００に注いで焼結させる段階が行われる。型６００は、ガラスフリット−波長変換粒子ミクスチャー４１０をフィルム状に形成するための収容空間を含む。
ガラスフリット−波長変換粒子ミクスチャー４１０が焼結されると、これを型６００と分離することができる。型６００から分離されたガラスフリット−波長変換粒子ミクスチャー４１０は、薄いフィルム形状を有する。
【００７１】
次いで、図１７を参照すると、焼結されたガラスフリット−波長変換粒子ミクスチャー４１０を切断して波長変換フィルムＷＦを形成する段階が行われる。
フィルム状のガラスフリット−波長変換粒子ミクスチャー４１０を所要の大きさに切断して波長変換フィルムＷＦを形成することができる。図１７はガラスフリット−波長変換粒子ミクスチャー４１０を第１カットラインＣＬ１および第２カットラインＣＬ２に沿って切断する場合を示す。
一実施形態において、切断方法は、レーザーカット方式を用いるか、或いは機械的スクライビング方式を用いることができる。ただし、これは例示的なものであり、カッティング方式が制限されるものではない。
【００７２】
続いて、波長変換フィルムＷＦの一部を導光板ＬＧに連結し、残りの一部を光源ＬＳと導光板ＬＧとの間に配置する段階が行われる。
波長変換フィルムＷＦの一部を導光板ＬＧに連結し、残りの一部を光源ＬＳと導光板ＬＧとの間に配置する段階の結果物は、先に本発明の幾つかの実施形態によるバックライトユニットで説明したのと同様である。
つまり、波長変換フィルムＷＦの第１連結部１１０は導光板ＬＧの下面ＢＳに連結でき、中央部１３０は導光板ＬＧの第１側面ＳＳ１と光源ＬＳとの間に配置できる。
第２連結部１２０はプリント回路基板５５または導光板ＬＧの上面ＵＳに連結できる（図２または図１１を参照）。
【００７３】
以上、本発明の実施形態を中心に説明したが、これは例示に過ぎず、本発明を限定するものではなく、本発明の属する分野における通常の知識を有する者であれば、本発明の実施形態の本質的な特性を逸脱することなく、以上に例示されていない様々な変形と応用が可能であることが分かるであろう。例えば、本発明の実施形態に具体的に示された各構成要素は変形して実施することができる。そして、このような変形と応用に係る相違点は、添付された請求の範囲で規定する本発明の範囲に含まれるものと解釈されるべきである。
【符号の説明】
【００７４】
ＬＳ    光源
ＬＧ    導光板
ＷＦ、ＷＦ１    波長変換フィルム
５５    プリント回路基板
５６    発光ダイオード
５７    カバー部
１１０、１１１    第１連結部
１２０、１２１    第２連結部
１３０、１３１    中央部
２１０、２１１    フレキシブルガラスフィルム
２２０    波長変換粒子
２３０    ベースガラス
３００    光学シート
４１０    ガラスフリット−波長変換粒子ミクスチャー
５００、１０００    （第２、第１）基板
６００    型
【図１】
2019061951.tif 000003
【図２】
2019061951.tif 000004
【図３】
2019061951.tif 000005
【図４】
2019061951.tif 000006
【図５】
2019061951.tif 000007
【図６】
2019061951.tif 000008
【図７】
2019061951.tif 000009
【図８】
2019061951.tif 000010
【図９】
2019061951.tif 000011
【図１０】
2019061951.tif 000012
【図１１】
2019061951.tif 000013
【図１２】
2019061951.tif 000014
【図１３】
2019061951.tif 000015
【図１４】
2019061951.tif 000016
【図１５】
2019061951.tif 000017
【図１６】
2019061951.tif 000018
【図１７】
2019061951.tif 000019